(57)【特許請求の範囲】
【請求項１】
映像信号を記録し、また再生する映像信号記録再生装置において、
一連の映像信号から所定のタイミングにおいて静止画像を抽出する抽出手段と、
前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定手段と、
抽出された前記静止画像のうち、前記無意味画像であると判定されなかったものを前記代表画像に設定する設定手段と
を含み、
前記判定手段は、
前記静止画像のCr又はCbの少なくとも一方のヒストグラムにおける分布の偏りに基づいて、前記静止画像が前記代表画像に成り得ない無意味画像であるか否かを判定する処理、
若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う
映像信号記録再生装置。
【請求項２】
映像信号を記録し、また再生する映像信号記録再生装置の映像信号記録再生方法において、
一連の映像信号から所定のタイミングにおいて静止画像を抽出する抽出ステップと、
前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定ステップと、
抽出された前記静止画像のうち、前記無意味画像であると判定されなかったものを前記代表画像に設定する設定ステップと
を含み、
前記判定ステップは、
前記静止画像のCr又はCbの少なくとも一方のヒストグラムにおける分布の偏りに基づいて、前記静止画像が前記代表画像に成り得ない無意味画像であるか否かを判定する処理、
若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う
映像信号記録再生方法。
【請求項３】
映像信号を記録し、また再生する映像信号記録再生装置のコンピュータを制御するためのプログラムであって、
一連の映像信号から所定のタイミングにおいて静止画像を抽出する抽出ステップと、
前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定ステップと、
抽出された前記静止画像のうち、前記無意味画像であると判定されなかったものを前記代表画像に設定する設定ステップと
を含み、
前記判定ステップは、
前記静止画像のCr又はCbの少なくとも一方のヒストグラムにおける分布の偏りに基づいて、前記静止画像が前記代表画像に成り得ない無意味画像であるか否かを判定する処理、
若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う
処理を、コンピュータに実行させるためのコンピュータ読み取り可能なプログラムが記録されている記録媒体。
【発明の詳細な説明】
【０００１】
【発明の属する技術分野】
本発明は、映像信号記録再生装置および方法、並びに記録媒体に関し、特に、記録媒体に記録された映像信号の再生開始推奨位置を提供する場合に用いて好適な映像信号記録再生装置および方法、並びに記録媒体に関する。
【０００２】
【従来の技術】
記録媒体に記録された番組または番組群の内容を把握する場合や、検索を行ったりする場合、表示画面に縮小された静止画（以下、サムネイルとも記述する）または動画を複数表示し、それを参照することで、番組内容を把握したり、所望の番組や番組内のシーンを選択する方法がある。
【０００３】
従来においては、記録開始直後の映像や、一定時間毎またはそれに準ずる方法で画像をキャプチャすることによりこのような代表画面を得ていた。
【０００４】
【発明が解決しようとする課題】
ところで、上述した方法で信号が記録された従来の信号記録再生装置においては、一定時間毎に抽出された映像を代表画面としてブラウズすることに起因する以下のような問題点があった。
【０００５】
例えば代表画面とされる映像が番組本編中のものではなく、コマーシャル（以下、ＣＭとも記述する）中の映像であったり、一面の青空であったりするなど、まったく番組内容を推測することができない画像が代表画像とされてしまうことがあり、その場合、ユーザにとって所望の番組やシーンを選択することが困難となることがある。
【０００６】
本発明はこのような状況に鑑みてなされたものであり、所望の番組やシーンを選択することができるような代表画像を抽出できるようにすることを目的とする。
【０００７】
【課題を解決するための手段】
本発明の映像信号記録再生装置は、一連の映像信号から所定のタイミングにおいて静止画像を抽出する抽出手段と、前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定手段と、抽出された前記静止画像のうち、前記無意味画像であると判定されなかったものを前記代表画像に設定する設定手段とを含み、前記判定手段は、前記静止画像のCr又はCbの少なくとも一方のヒストグラムにおける分布の偏りに基づいて、前記静止画像が前記代表画像に成り得ない無意味画像であるか否かを判定する処理、若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う。
【００１１】
本発明の映像信号記録再生方法は、一連の映像信号から所定のタイミングにおいて静止画像を抽出する抽出ステップと、前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定ステップと、抽出された前記静止画像のうち、前記無意味画像であると判定されなかったものを前記代表画像に設定する設定ステップとを含み、前記判定ステップは、前記静止画像のCr又はCbの少なくとも一方のヒストグラムにおける分布の偏りに基づいて、前記静止画像が前記代表画像に成り得ない無意味画像であるか否かを判定する処理、若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う。
【００１２】
本発明の記録媒体のプログラムは、一連の映像信号から所定のタイミングにおいて静止画像を抽出する抽出ステップと、前記静止画像のヒストグラムにおける分布の偏り、又は、前記静止画像のエッジの量が所定の閾値よりも小さいか否かのいずれか一方に基づいて、前記静止画像が代表画像に成り得ない無意味画像であるか否かを判定する処理を行う判定ステップと、抽出された前記静止画像のうち、前記無意味画像であると判定されなかったものを前記代表画像に設定する設定ステップとを含み、前記判定ステップは、前記静止画像のCr又はCbの少なくとも一方のヒストグラムにおける分布の偏りに基づいて、前記静止画像が前記代表画像に成り得ない無意味画像であるか否かを判定する処理、若しくは、前記静止画像において、水平方向のエッジの量EH、及び垂直方向のエッジの量EVがそれぞれ、所定の閾値よりも小さい場合、前記静止画像が前記代表画像に成り得ない無意味画像であると判定する処理のいずれか一方を行う処理を、コンピュータに実行させる。
【００１３】
本発明の映像信号記録再生装置および方法、並びに記録媒体のプログラムにおいては、一連の映像信号から所定のタイミングにおいて静止画像が抽出され、抽出された静止画像のヒストグラムにおける分布の偏り、又は、静止画像のエッジの量が所定の閾値よりも小さいか否かのいずれか一方に基づいて、静止画像が代表画像に成り得ない無意味画像であるか否かを判定する処理が行われ、抽出された静止画像のうち、無意味画像であると判定されなかったものが代表画像に設定される。
【００１４】
【発明の実施の形態】
以下図面を用いて、本発明の一実施の形態であるハードディスクレコーダについて説明する。
【００１５】
図１は、ハードディスクレコーダの構成例を示すブロック図である。アンテナ１は、テレビジョン放送を受信し、その受信信号をチューナ２に供給する。チューナ２は、システムコントローラ３１の指令に基づいて、アンテナ１からの放送波の受信信号の中から、所定のチャンネルの番組の信号を受信し、入力切換器５に供給する。
【００１６】
図示せぬ外部装置は、外部ビデオ入力端子３−１を介してＳ映像信号（Ｙ信号（輝度信号）とＣ信号（色信号）の分離信号）をスイッチ９の端子ａに入力する。また、外部装置は、外部ビデオ入力端子３−２を介してコンポジット映像信号を、また、外部オーディオ入力端子４を介して音声信号を、それぞれ入力切換器５に入力する。
【００１７】
入力切換器５は、システムコントローラ３１の指令に基づいて、入力された映像信号または音声信号のうち、所望の信号を選択し、コンポジット映像信号をＹＣ分離回路８に、音声信号をA/D(Analog to Digital)変換器６に、それぞれ出力する。
【００１８】
A/D変換器６は、入力切換器５より入力された音声信号をA/D変換し、MPEG(Moving Picture Experts Group)オーディオエンコーダ７に供給する。A/D変換器６はまた、A/D変換した音声データをスイッチ２５の端子ｂに供給する。MPEGオーディオエンコーダ７は、システムコントローラ３１の指令に基づいて、A/D変換器６より供給された音声データに対して、MPEG方式で圧縮処理し、音声のエレメンタリストリーム（ＥＳ：Elementary Stream）を生成し、マルチプレクサ／デマルチプレクサ１４に供給する。
【００１９】
ＹＣ分離回路８は、システムコントローラ３１の指令に基づいて、入力切換器５より入力されたコンポジット映像信号を、輝度信号（Ｙ信号）と色信号（Ｃ信号）に分離し、スイッチ９の端子ｂを介してNTSC(National Television System Committee)デコーダ１０に供給する。スイッチ９は、システムコントローラ３１の指令に基づいて、外部装置からのＳ映像信号をNTSCデコーダ１０に供給するとき、端子ａを選択するように切り替えられ、ＹＣ分離回路８からの映像分離信号をNTSCデコーダ１０に供給するとき、端子ｂを選択するように切り替えられる。
【００２０】
NTSCデコーダ１０は、システムコントローラ３１の指令に基づいて、スイッチ９を介して入力された映像信号に対して、A/D変換処理、およびクロマエンコード処理等を施し、それをデジタルコンポーネントビデオ信号（以下、画像データと記載する）に変換し、プリ映像信号処理回路１２に供給する。NTSCデコーダ１０はまた、入力された映像信号の水平同期信号に基づいてクロックを生成するとともに、同期分離して得られた水平同期信号、垂直同期信号、およびフィールド判別信号を同期信号制御回路１１に供給する。
【００２１】
同期信号制御回路１１は、システムコントローラ３１の指令に基づいて、NTSCデコーダ１０より供給された水平同期信号、垂直同期信号、およびフィールド判別信号を基準として、クロックおよび同期信号を生成し、各部にそれぞれ供給する。
【００２２】
プリ映像信号処理回路１２は、システムコントローラ３１の指令に基づいて、NTSCデコーダ１０より供給された画像データに対して、プリフィルタ等の映像信号処理を施すことによって代表画面を検出し、MPEGビデオエンコーダ１３およびポスト映像信号処理回路２０に供給する。MPEGビデオエンコーダ１３は、システムコントローラ３１の指令に基づいて、プリ映像信号処理回路１２より供給された画像データに対して、離散コサイン変換（DCT：Discrete Cosine Transform）等の符号化処理を施し、映像のエレメンタリストリームを生成し、マルチプレクサ／デマルチプレクサ１４に供給する。
【００２３】
マルチプレクサ／デマルチプレクサ１４は、記録時、システムコントローラ３１の指令に基づいて、MPEG方式で圧縮されている、映像のエレメンタリストリーム、音声のエレメンタリストリーム、および、各種の制御信号を、マルチプレクス処理し、例えば、MPEG方式のトランスポートストリーム（ＴＳ：Transport Stream）を生成し、バッファコントローラ１７に供給する。マルチプレクサ／デマルチプレクサ１４はまた、再生時、バッファコントローラ１７より供給されたMPEG方式のトランスポートストリームをデマルチプレクス処理し、トランスポートストリームからパケッタイズドエレメンタリストリーム（PES:Packetized Elementary Stream）を抽出し、MPEG AVデコーダ１９に供給する。
【００２４】
バッファコントローラ１７は、システムコントローラ３１の指令に基づいて、マルチプレクサ／デマルチプレクサ１４より、連続的に供給されるトランスポートストリームを、ハードディスクドライブ（HDD：Hard Disc Drive）１８に断続的に供給できるように制御する。例えば、ハードディスクドライブ１８がシーク動作を行っている場合、トランスポートストリームの書き込みができないため、一時的にトランスポートストリームがバッファに蓄積され、書き込みが可能になると、入力レートより高いレートで書き込みが行われる。これにより、連続的に入力されるトランスポートストリームが、途切れることなくハードディスクドライブ１８に記録される。
【００２５】
バッファコントローラ１７はまた、ハードディスクドライブ１８より断続的に入力される信号を、連続するようにバッファ制御を行い、連続するトランスポートストリームをマルチプレクサ／デマルチプレクサ１４に供給する。
【００２６】
ハードディスクドライブ１８は、システムコントローラ３１の指令に基づいて、バッファコントローラ１７より断続的に供給されるトランスポートストリームを、所定のアドレスに記録する。ハードディスクドライブ１８はまた、所定のアドレスにシークし、そこに記録されているトランスポートストリームを読み出し、バッファコントローラ１７に供給する。
【００２７】
なお、バッファコントローラ１７およびハードディスクドライブ１８は、プロトコルとしてIDE(Integrated Drive Electronics)を用いているが、本発明では、トランスポートストリームを記録できるものであれば、これに限らなくてよい。
【００２８】
MPEG AVデコーダ１９は、システムコントローラ３１の指令に基づいて、マルチプレクサ／デマルチプレクサ１４より供給されたPESを、映像のエレメンタリストリームと音声のエレメンタリストリームに分離し、所定のデコード処理を施し、ベースバンドの画像データをポスト映像信号処理回路２０に、ベースバンドの音声データをポスト音声信号処理回路２４にそれぞれ供給それぞれ供給する。
【００２９】
ポスト映像信号処理回路２０は、システムコントローラ３１の指令に基づいて、プリ映像信号処理回路１２より供給された映像信号と、MPEG AVデコーダ１９より供給されたベースバンドの映像データとを切換えたり、合成したり、あるいはフィルタ処理し、オンスクリーンディスプレイ(On Screen Display)回路２１に供給する。ポスト映像信号処理回路２０はまた、画像表示用のウィンドウ（GUI：Graphic User Interface）等を生成するとともに、画像データの代表画面を生成して、そのウィンドウに貼り付け、オンスクリーンディスプレイ回路２１に供給する。
【００３０】
オンスクリーンディスプレイ回路２１は、システムコントローラ３１の指令に基づいて、テキスト情報を対応する画像データに変換し、ポスト映像信号処理回路２０から供給される画像データに重畳し、NTSCエンコーダ２２に供給する。NTSCエンコーダ２２は、システムコントローラ３１の指令に基づいて、オンスクリーンディスプレイ回路２１より供給された画像データ（コンポーネントデジタル信号）をＹ信号とＣ信号に変換した後、D/A変換したＳ映像信号と、アナログのコンポジット映像信号を生成し、それぞれを、外部ビデオ出力端子２３−１，２３−２を介して外部装置に出力する。
【００３１】
ポスト音声信号処理回路２４は、システムコントローラ３１の指令に基づいて、MPEG AVデコーダ１９より供給されたベースバンドの音声データに対して、フィルタ処理、フェード処理、および、話速変換処理等を施し、スイッチ２５の端子ａに供給する。
【００３２】
スイッチ２５は、システムコントローラ３１の指令に基づいて、ポスト音声信号処理回路２４からの音声データをD/A変換器２６に供給するとき、端子ａを選択するように切り替えられ、A/D変換器６からの音声データをD/A変換器２６に供給するとき、端子ｂを選択するように切り替えられる。D/A変換器２６は、スイッチ２５を介して入力された音声データをD/A変換して、外部オーディオ出力端子２７を介して外部装置に出力する。
【００３３】
システムコントローラ３１は、ホストバス３２を介してROM(Read Only Memory)３３に格納されているプログラムを読み出して実行し、各部を制御する。RAM(Random Access Memory)３４には、システムコントローラ３１が各部を制御する上において必要なプログラムやデータが適宜記憶される。システムコントローラ３１、ROM３３、およびRAM３４は、ホストバス３２を介して相互に接続されているとともに、入出力インターフェース３５にも接続されている。入出力インターフェース３５には、ドライブ３６が接続されており、磁気ディスク４１、光ディスク４２、光磁気ディスク４３、または半導体メモリ４４などが装着されるようになされている。入出力インタフェース３５にはまた、キーボード、マウス、ボタン、スイッチ、リモートコマンダ等よりなる入力部３７が接続されている。
【００３４】
また、ハードディスクレコーダは、アナログ信号の入出力だけでなく、デジタルデータの入出力を行うことも可能である。例えば、図示せぬIRD(Integrated Receiver Decoder)は、トランスポートストリームを、IEEE(The Institute of Electrical and Electronics Engineers)１３９４シリアルバスを介して、デジタル入出力端子１６からデジタルインタフェース１５に入力する。デジタルインタフェース１５は、システムコントローラ３１の指令に基づいて、インタフェース処理を施し、入力されたトランスポートストリームを、マルチプレクサ／デマルチプレクサ１４に供給する。マルチプレクサ／デマルチプレクサ１４は、システムコントローラ３１の指令に基づいて、デジタルインタフェース１５より供給されたトランスポートストリームを、バッファコントローラ１７に出力する。
【００３５】
マルチプレクサ／デマルチプレクサ１４はまた、バッファコントローラ１７より供給されたトランスポートストリームを、デジタルインタフェース１５に出力する。デジタルインタフェース１５は、マルチプレクサ／デマルチプレクサ１４より入力されたトランスポートストリームを、デジタル入出力端子１６から、IEEE１３９４シリアルバスを介して外部のIRDに供給し、そこに接続されているモニタに出力、表示させる。
【００３６】
なお、上述した例では、ハードディスクレコーダとIRDとを接続するようにして説明したが、本発明は、これに限らず、パーソナルコンピュータなどと接続することも可能である。
【００３７】
また、映像信号をMPEG方式で圧縮するようにして説明したが、本発明は、これに限らず、他の圧縮方式または非圧縮でもよい。
【００３８】
また、ハードディスク１８の代わりに光ディスク、光磁気ディスク、個体メモリなどの記録メディアを用いるようにしてもよい。
【００３９】
次に代表画面の決定方法について説明する。
【００４０】
通常、番組を代表する画面は記録開始直後もしくは、記録開始からある一定時間経過した時の映像を使用する。以後、この映像信号をタイトル画面と称する。
【００４１】
また、番組の内容を理解するための代表画面は、ある一定時間間隔の映像信号を使用する。以後、この映像を検索画面と称する。
【００４２】
これらは、システムコントローラ３１が記録開始および記録後の経過時間を認識しているので、これらの画面を代表画として登録することは容易である。これらの画面は、常時、プリ映像信号処理回路１２に入力されており、代表画面としてふさわしい映像か否かの検出が行われている。
【００４３】
まず、コマーシャルの検出については、プリ映像信号処理回路１２が、映像のシーンチェンジ部の検出を行ない、その結果をシステムコントローラ３１に出力する。
【００４４】
システムコントローラ３１は、この情報と、別系統から供給される音声情報とを用いて、コマーシャルの検出を行なう。
【００４５】
コマーシャル検出の具体例については、既に提案済みの方法（例えば、特願平９−２５４９４号に記載の方法）などを用いることができる。また、他の方法でコマーシャルを検出しても構わない。
【００４６】
これにより、システムコントローラ３１は、代表画面に登録する映像がコマーシャルの一部であることを簡単に認識できるので、この映像を代表画面として登録を行なわないように判断する。
【００４７】
タイトル画面がコマーシャルであった場合は、コマーシャル明けの画面をタイトル画面として登録する。もしくは、コマーシャル終了後、ある一定時間経過した映像をタイトル画面として登録してもよい。
【００４８】
検索画面がコマーシャルであった場合は、単純に間引くか、コマーシャル明けの画面を検索画面として、その後再度一定間隔の処理を行なってもよい。
【００４９】
次に、番組を推測、理解するには情報が少なすぎる映像（例えば、画面の全体が青空で占められているような映像）の検出方法について説明する。以後、このような映像を無意味映像と称する。
【００５０】
無意味映像の判定方法の一例について説明する。始めに、色信号のヒストグラムを用いた無意味映像の判定方法の手順について、図２乃至図５を参照して説明する。
【００５１】
プリ映像信号処理回路１２は、映像信号のヒストグラムを常に取得し、その結果をシステムコントローラ３１に供給するようにする。
【００５２】
図２に示すように、画面のピクセル数を横ｘ、縦ｙとし、各ピクセルの色レベルに応じてｎ段階に分割しヒストグラムを生成する。色信号の場合は、Ｃｒ，Ｃｂ独立にそれぞれのヒストグラムを生成する。
【００５３】
一般的に情報量の少ない映像はヒストグラムが集中する傾向があることを利用し、あらかじめ定めておいた閾値以上の分布度により、無意味映像の検出を行なう。
【００５４】
例えば、図３に示すヒストグラム１では、Ｃｒ，Ｃｂのヒストグラムが全体的に分布しているので、意味のある映像と判断できる。
【００５５】
図４に示すヒストグラム２では、Ｃｒが低く、かつ、Ｃｂが高いほうに多く分布しているので、例えば青空のような映像である。このため代表画面には向かない無意味映像であると判断できる。
【００５６】
図５に示すヒストグラム３では、Ｃｒ，Ｃｂともに低いほうに分布しているので、やはり無意味映像と判断できる。
【００５７】
具体的には、図３乃至図５に示すヒストグラム１乃至３において、閾値を破線のレベルに定めた場合、この閾値を超える分布の数量にて無意味映像であるか否かの判断を行なう。
【００５８】
判断については、Ｃｒ，Ｃｂの合計でも、単独でも、前記した輝度の結果を論理和をとるなど、いろいろな組み合わせで行うことが可能である。
【００５９】
無意味映像の特徴であるエッジの少ない映像（ボケた映像）を無意味映像として検出する方式について、図６を参照して説明する。
【００６０】
図６おいて、Dijはフィールド画像の座標(i,j)に位置する画素の輝度レベルを示すものとする。輝度レベルDijを、次式（１）に適応することにより、水平方向のエッジの量ＥＨを算出することができる。
同様に、輝度レベルDijを、次式（２）に適応することにより、垂直方向のエッジの量ＥＶを算出することができる。
【数１】
0004431923.tif 000002
【００６１】
ＥＨ，ＥＶが所定の閾値よりも小さい場合、その映像は無意味映像と判断するようにする。
【００６２】
以上のようにして、無意味映像を検出するが、同様の効果が得られる他の方式で無意味映像を検出しても構わない。
【００６３】
無意味映像が代表画面の候補となった場合、システムコントローラ３１は
コマーシャルと同様に、間引いたり、その後の映像を代表画面にし、無意味映像を代表画面として使用しないように処理を行なう。
【００６４】
以上のようにして、検出された代表画面を記録する場合、映像信号や音声信号、その他の信号を使って番組の代表画面を決定した場合、その情報を記録媒体に記録するわけであるが、その記録の方法を具体的に示す。
【００６５】
代表画面の情報は、タイムコードやあるいはその画面自体あるいはその縮小画面などの形で記録される映像信号とは別個に記録媒体に記録される。このとき、映像信号が記録される記録媒体と、代表画面情報が記録される記録媒体は異なってもよいし、同じ場合でも記録される領域は異なってもよい。
【００６６】
以上のように記録された代表画面を再生する方法の一例を説明する。
【００６７】
まず記録媒体に記録された番組群の番組毎の代表画面を表示する方法を説明する。代表画面と検出したタイトル画面を、番組数だけ、図７に示すように表示する。ユーザはこの画面一覧を見て、どの番組が記録されているかを把握することができる。
【００６８】
また、図８に示すように、選択された番組の検索画面を複数枚、一覧表示することにより、ユーザがこの番組の内容を短時間で把握することを容易にする。
【００６９】
以上説明したように、本発明によれば、無意味な映像を検出し、代表画面として使用しないことにより、以下のような効果が得られる。
【００７０】
本実施の形態によれば、記録する番組の代表画面の場所やその画面自体を記録時に保存しておくことができ、ユーザは、再生時に記録された番組群の代表画面一覧を見ることができ、記録媒体中の番組群を瞬時に理解するのに役立つ。
【００７１】
また、ある特定の番組中の代表画面一覧も見ることができ、内容を把握するのに便利であるし、番組中の見たいシーンを検索するのが容易になる。
【００７２】
記録媒体の記録容量が大きくなり、大量の番組を記録できるようになればなるほど、多くの番組の中から特定の見たい番組を選択するのが困難になると思われる。本発明は、このような場合に特に有効である。
【００７３】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００７４】
この記録媒体は、図１に示すように、コンピュータとは別に、ユーザにプログラムを提供するために配布される、プログラムが記録されている磁気ディスク４１（フロッピディスクを含む）、光ディスク４２（CD-ROM(Compact Disc-Read Only Memory)、DVD(Digital Versatile Disc)を含む）、光磁気ディスク４３（ＭＤ(Mini Disc)を含む）、もしくは半導体メモリ４４などよりなるパッケージメディアにより構成されるだけでなく、コンピュータに予め組み込まれた状態でユーザに提供される、プログラムが記録されているROMやハードディスクなどで構成される。
【００７５】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００７６】
また、本明細書において、システムとは、複数の装置により構成される装置全体を表すものである。
【００７７】
【発明の効果】
以上のように、本発明によれば、所望の番組やシーンを選択することができるような代表画像を抽出することが可能となる。
【図面の簡単な説明】
【図１】本発明の一実施例によるハードディスクレコーダの構成例を示すブロック図である。
【図２】ヒストグラムを用いて無意味映像を検出する方法を説明するための図である。
【図３】ヒストグラムを用いて無意味映像を検出する方法を説明するための図である。
【図４】ヒストグラムを用いて無意味映像を検出する方法を説明するための図である。
【図５】ヒストグラムを用いて無意味映像を検出する方法を説明するための図である。
【図６】映像のエッジに基づいて無意味映像を検出する方法を説明するための図である。
【図７】タイトル画面の一覧を示すグラフィカルユーザインタフェースの表示例を示す図である。
【図８】選択されたタイトル内の検索画面の一覧を示すグラフィカルユーザインタフェースの表示例を示す図である。
【符号の説明】
１２  プリ映像信号処理回路，  １３  MPEGビデオエンコーダ，  １４  マルチプレクサ／デマルチプレクサ，  １７  バッファコントローラ，  １８  ハードディスクドライブ，  １９  MPEG AVデコーダ，  ２０  ポスト映像信号処理回路，  ２１  オンスクリーンディスプレイ回路，  ２４  ポスト音声信号処理回路，  ３１  システムコントローラ，  ３２  ホストバス，  ３３  ROM，  ３４  RAM，  ３６  ドライブ，  ４１  磁気ディスク，  ４２  光ディスク，４３  光磁気ディスク，  ４４  半導体メモリ，  ５２  特徴点検出器，  ５３  シーンチェンジ検出器，  ５４，６１  信号処理回路，  ６２  メモリ，  ７１  信号処理回路，  ７２  メモリ
【図１】
0004431923.tif 000003
【図２】
0004431923.tif 000004
【図３】
0004431923.tif 000005
【図４】
0004431923.tif 000006
【図５】
0004431923.tif 000007
【図６】
0004431923.tif 000008
【図７】
0004431923.tif 000009
【図８】
0004431923.tif 000010